(57)【要約】【課題】本発明は多段調節の使い捨てマスクを開示した。【解決手段】マスクを通じて吸い込まれた空気があまり乾いている又は濡れていると感じる時、調節シートをはじき、調節シートが扇形歯車を旋転連動させ、扇形歯車が第二ラックによってスライドボードを上下にスライド連動させ、スライドボードが第一ラックを上下にスライド連動させ、第一ラックが第一歯車を旋転連動させ、第一歯車が弓形盤を旋転連動させ、弓形盤が回転して位置決めブロックを旋転連動させ、位置決めブロックが下へロングロッドを押し、第一撥条の弾性力を克服してから、弓形盤が一定の角度を旋転し、ウェットティッシュを換えて第一貫通溝と対応し、ウェットティッシュが吸い込まれた空気の湿度を変え、ダイヤルを自由にはじいて吸い込まれた空気の湿度を調節できる。【選択図】図１
2020147881.tif 000002
【特許請求の範囲】
【請求項１】
第一固定ブロックを含み、前記第一固定ブロックの前端には第二固定ブロックが設置されており、前記第二固定ブロックにはＬ字型固定ブロックが上下且つ左右に対称的に設置されており、前記Ｌ字型固定ブロックの中には使い捨てマスクを挟持でき、前記第一固定ブロックの中には上下に貫通した第一チャンバが貫通して設置されており、前記第一チャンバには貫通穴が後に連通して設置されており、前記第二固定ブロックの中には左右に貫通した第二チャンバが設置されており、前記第二チャンバと前記第一チャンバとの間には第一貫通溝が連通して設置されており、、前記第二チャンバの外側には回転チャンバが連通して設置されており、前記第二チャンバには扇形板が前後に対称的に固定的に設置されており、前記扇形板が等間隔で排列され、左右対称的な前記扇形板の間には固定軸が固定的に接続され、前記固定軸の外表面には円筒が回転できるように設置されており、前記円筒が前記扇形板の間に位置し、前記円筒には前記回転チャンバの中に位置する羽根が固定的に設置されており、前記羽根が等間隔で排列され、前記羽根の外周にはリングギアが固定的に設置されており、前記第一チャンバの中には第一回転軸が回転できるように設置されており、前記第一回転軸には弓形盤と第一歯車が固定的に設置されており、前記弓形盤の中には三組のウェットティッシュが設置されており、前記ウェットティッシュの湿度が異なっており、前記ウェットティッシュの左側には三組の位置決めブロックが固定的に設置されており、前記位置決めブロックが前記ウェットティッシュに対応し、前記第一チャンバの右端には第三チャンバが連通して設置されており、前記第三チャンバの中には第二回転軸が回転できるように設置されており、前記第二回転軸にはロングロッドが固定的に設置されており、前記ロングロッドが第一チャンバの中に伸びており、前記ロングロッドが前記位置決めブロックの底端と接触し、前記ロングロッドと前記第三チャンバの底面の間には第一撥条が固定的に接続されており、前記第一チャンバには前記第一チャンバと連通するスライド溝が前後に対称的に設置されており、前記スライド溝の間にはスライドボードがスライドできるように設置されており、前記スライドボードと前記スライド溝の頂壁との間には第二撥条が固定的に接続されており、前記スライドボードの左側には前記ウェットティッシュが固定的に設置されており、前記ウェットティッシュと前記第一歯車とが噛み合う；旋転している羽根が扇形板と協力して空気流入量を制御し、弓形盤が旋転してウェットティッシュを換えることを特徴とする多段調節の使い捨てマスク。
【請求項２】
前記第一固定ブロックの右端には右固定ブロックが固定的に設置されており、前記固定ブロックの中には第二貫通溝が貫通して設置されており、前記第二貫通溝の中には第三回転軸が回転できるように設置されており、前記第三回転軸には調節シートと扇形歯車が固定的に設置されており、前記調節シートが前記右固定ブロックの外側から伸び出ており、前記スライドボードの右側には第二ラックが固定的に設置されており、前記第二ラックが前記扇形歯車と噛み合う；調節シートを回してスライドボードを連動させて上下にスライドさせ、弓形盤によってウェットティッシュを換えることを特徴とする請求項１に記載の多段調節の使い捨てマスク。
【請求項３】
前記第二固定ブロックの左端には左固定ブロックが固定的に設置されており、前記左固定ブロックの中には左右に貫通する第三貫通溝が設置されており、前記第三貫通溝と前記回転チャンバの間には第四貫通溝が連通して設置されており、前記第三貫通溝の中には第四回転軸が回転できるように設置されており、前記第四回転軸にはダイヤルと第一プーリが固定的に設置されており、前記第四回転軸が前記左固定ブロックの外側から伸び出ており、前記第四貫通溝の中には第五回転軸が回転できるように設置されており、前記第五回転軸には第二プーリと第二歯車が固定的に設置されており、前記第二プーリと第一プーリの間にはベルトが伝動できるように設置されており、前記第二歯車と前記リングギアとが噛み合う；調節盤を回し、調節盤が第一プーリと第二プーリを通じて第二歯車を回転連動させ、空気流入量を換えることを特徴とする請求項１に記載の多段調節の使い捨てマスク。
【発明の詳細な説明】
【技術分野】
【０００１】
本発明は防護用品の分野を取り上げて、具体的には多段調節の使い捨てマスクである。
【背景技術】
【０００２】
伝統的な使い捨てマスクは使う時に内部フィルターが直接に空気を濾過し、マスクの面積が大きいから空気の中の水分がマスクの内部の綿層に吸収され、乾いた空気を吸い込むのは人体呼吸道の気体循環に不利である；また、伝統的な使い捨てマスクは異なる人群により空気吸込み量を変えられなく、子供と老人にとっては空気吸込み量を減らせば異なった形で空気濾過の効率を高められる；そのため、多段調節の使い捨てマスクを設計して上記の欠点を解決する必要ある。
【先行技術文献】
【特許文献】
【０００３】
【特許文献１】中国特許出願公開第１０８３４８０１８号明細書
【発明の概要】
【発明が解決しようとする課題】
【０００４】
本発明が解決すべきの技術問題は多段調節の使い捨てマスクを提供し、現有技術の上記の欠点を解決する。
【課題を解決するための手段】
【０００５】
図−に示されるように、本発明の多段調節の使い捨てマスクは、第一固定ブロックを含み、前記第一固定ブロックの前端には第二固定ブロックが設置されており、前記第二固定ブロックにはＬ字型固定ブロックが上下且つ左右に対称的に設置されており、前記Ｌ字型固定ブロックの中には使い捨てマスクを挟持でき、前記第一固定ブロックの中には上下に貫通した第一チャンバが貫通して設置されており、前記第一チャンバには貫通穴が後に連通して設置されており、前記第二固定ブロックの中には左右に貫通した第二チャンバが設置されており、前記第二チャンバと前記第一チャンバとの間には第一貫通溝が連通して設置されており、、前記第二チャンバの外側には回転チャンバが連通して設置されており、前記第二チャンバには扇形板が前後に対称的に固定的に設置されており、前記扇形板が等間隔で排列され、左右対称的な前記扇形板の間には固定軸が固定的に接続され、前記固定軸の外表面には円筒が回転できるように設置されており、前記円筒が前記扇形板の間に位置し、前記円筒には前記回転チャンバの中に位置する羽根が固定的に設置されており、前記羽根が等間隔で排列され、前記羽根の外周にはリングギアが固定的に設置されており、前記第一チャンバの中には第一回転軸が回転できるように設置されており、前記第一回転軸には弓形盤と第一歯車が固定的に設置されており、前記弓形盤の中には三組のウェットティッシュが設置されており、前記ウェットティッシュの湿度が異なっており、前記ウェットティッシュの左側には三組の位置決めブロックが固定的に設置されており、前記位置決めブロックが前記ウェットティッシュに対応し、前記第一チャンバの右端には第三チャンバが連通して設置されており、前記第三チャンバの中には第二回転軸が回転できるように設置されており、前記第二回転軸にはロングロッドが固定的に設置されており、前記ロングロッドが第一チャンバの中に伸びており、前記ロングロッドが前記位置決めブロックの底端と接触し、前記ロングロッドと前記第三チャンバの底面の間には第一撥条が固定的に接続されており、前記第一チャンバには前記第一チャンバと連通するスライド溝が前後に対称的に設置されており、前記スライド溝の間にはスライドボードがスライドできるように設置されており、前記スライドボードと前記スライド溝の頂壁との間には第二撥条が固定的に接続されており、前記スライドボードの左側には前記ウェットティッシュが固定的に設置されており、前記ウェットティッシュと前記第一歯車とが噛み合う。
【０００６】
更なる技術方案、前記第一固定ブロックの右端には右固定ブロックが固定的に設置されており、前記固定ブロックの中には第二貫通溝が貫通して設置されており、前記第二貫通溝の中には第三回転軸が回転できるように設置されており、前記第三回転軸には調節シートと扇形歯車が固定的に設置されており、前記調節シートが前記右固定ブロックの外側から伸び出ており、前記スライドボードの右側には第二ラックが固定的に設置されており、前記第二ラックが前記扇形歯車と噛み合う。
【０００７】
更なる技術方案、前記第二固定ブロックの左端には左固定ブロックが固定的に設置されており、前記左固定ブロックの中には左右に貫通する第三貫通溝が設置されており、前記第三貫通溝と前記回転チャンバの間には第四貫通溝が連通して設置されており、前記第三貫通溝の中には第四回転軸が回転できるように設置されており、前記第四回転軸にはダイヤルと第一プーリが固定的に設置されており、前記第四回転軸が前記左固定ブロックの外側から伸び出ており、前記第四貫通溝の中には第五回転軸が回転できるように設置されており、前記第五回転軸には第二プーリと第二歯車が固定的に設置されており、前記第二プーリと第一プーリの間にはベルトが伝動できるように設置されており、前記第二歯車と前記リングギアとが噛み合う。
【発明の効果】
【０００８】
本発明の有益な効果は下記の通りである：
【０００９】
本発明の多段調節の使い捨てマスクは操作が簡単明瞭であり、反応が鋭敏である；同時に、本発明は装置が簡潔上品であり、適用な幅が広い、実用性が強い。
【図面の簡単な説明】
【００１０】
【図１】は本発明の多段調節の使い捨てマスクの全体構成模式図であり；
【図２】は図１のＡ−Ａの構成模式図であり；
【図３】は図２のＢ−Ｂの拡大構成模式図である。
【発明を実施するための形態】
【００１１】
本説明書によって公開されるすべての特徴、或いは公開されるすべての方法或いは過程中の順序は、互いに排斥する特徴或いは順序以外、いかなる方法で組み合わせる。
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３に示されるように、本発明の多段調節の使い捨てマスクは、第一固定ブロック１１を含み、前記第一固定ブロック１１の前端には第二固定ブロック１２が設置されており、前記第二固定ブロック１２にはＬ字型固定ブロック２４が上下且つ左右に対称的に設置されており、前記Ｌ字型固定ブロック２４の中には使い捨てマスク１０を挟持でき、前記第一固定ブロック１１の中には上下に貫通した第一チャンバ３５が貫通して設置されており、前記第一チャンバ３５には貫通穴５４が後に連通して設置されており、前記第二固定ブロック１２の中には左右に貫通した第二チャンバ３０が設置されており、前記第二チャンバ３０と前記第一チャンバ３５との間には第一貫通溝３３が連通して設置されており、、前記第二チャンバ３０の外側には回転チャンバ２５が連通して設置されており、前記第二チャンバ３０には扇形板２９が前後に対称的に固定的に設置されており、前記扇形板２９が等間隔で排列され、左右対称的な前記扇形板２９の間には固定軸３１が固定的に接続され、前記固定軸３１の外表面には円筒３２が回転できるように設置されており、前記円筒３２が前記扇形板２９の間に位置し、前記円筒３２には前記回転チャンバ２５の中に位置する羽根２７が固定的に設置されており、前記羽根２７が等間隔で排列され、前記羽根２７の外周にはリングギア２６が固定的に設置されており、前記第一チャンバ３５の中には第一回転軸４５が回転できるように設置されており、前記第一回転軸４５には弓形盤３６と第一歯車４３が固定的に設置されており、前記弓形盤３６の中には三組のウェットティッシュ３７が設置されており、前記ウェットティッシュ３７の湿度が異なっており、前記ウェットティッシュ３７の左側には三組の位置決めブロック３８が固定的に設置されており、前記位置決めブロック３８が前記ウェットティッシュ３７に対応し、前記第一チャンバ３５の右端には第三チャンバ３９が連通して設置されており、前記第三チャンバ３９の中には第二回転軸４１が回転できるように設置されており、前記第二回転軸４１にはロングロッド４０が固定的に設置されており、前記ロングロッド４０が第一チャンバ３５の中に伸びており、前記ロングロッド４０が前記位置決めブロック３８の底端と接触し、前記ロングロッド４０と前記第三チャンバ３９の底面の間には第一撥条４２が固定的に接続されており、前記第一チャンバ３５には前記第一チャンバ３５と連通するスライド溝５３が前後に対称的に設置されており、前記スライド溝５３の間にはスライドボード５１がスライドできるように設置されており、前記スライドボード５１と前記スライド溝５３の頂壁との間には第二撥条５２が固定的に接続されており、前記スライドボード５１の左側には前記ウェットティッシュ３７が固定的に設置されており、前記ウェットティッシュ３７と前記第一歯車４３とが噛み合う。
【００１４】
有益なように、前記第一固定ブロック１１の右端には右固定ブロック２８が固定的に設置されており、前記固定ブロック２８の中には第二貫通溝４９が貫通して設置されており、前記第二貫通溝４９の中には第三回転軸４７が回転できるように設置されており、前記第三回転軸４７には調節シート４８と扇形歯車４６が固定的に設置されており、前記調節シート４８が前記右固定ブロック２８の外側から伸び出ており、前記スライドボード５１の右側には第二ラック５０が固定的に設置されており、前記第二ラック５０が前記扇形歯車４６と噛み合う。
【００１５】
有益なように、前記第二固定ブロック１２の左端には左固定ブロック１４が固定的に設置されており、前記左固定ブロック１４の中には左右に貫通する第三貫通溝１５が設置されており、前記第三貫通溝１５と前記回転チャンバ２５の間には第四貫通溝２３が連通して設置されており、前記第三貫通溝１５の中には第四回転軸１９が回転できるように設置されており、前記第四回転軸１９にはダイヤル１６と第一プーリ１８が固定的に設置されており、前記第四回転軸１９が前記左固定ブロック１４の外側から伸び出ており、前記第四貫通溝２３の中には第五回転軸２２が回転できるように設置されており、前記第五回転軸２２には第二プーリ２１と第二歯車２０が固定的に設置されており、前記第二プーリ２１と第一プーリ１８の間にはベルト１７が伝動できるように設置されており、前記第二歯車２０と前記リングギア２６とが噛み合う。
【００１６】
以下、付図１−３及び上記の本願発明の多段調節の使い捨てマスクの具体的な構造を参考してその使い方を詳しく説明する：
【００１７】
まず、初期状態の時、扇形板２９と羽根２７とが閉じた円形を形成し、第二チャンバ３０が封閉される；
【００１８】
使い捨てマスク１０を使う前に、使い捨てマスク１０をＬ字型固定ブロック２４にによって固定し、第一固定ブロック１１と使い捨てマスク１０との間が強く接続される；
【００１９】
ダイヤル１６を回すことによって、ダイヤル１６が第一プーリ１８を回転連動させ、第一プーリ１８がベルト１７によって第二プーリ２１を回転連動させ、第二プーリ２１が第二歯車２０を回転連動させ、第二歯車２０がリングギア２６を回転連動させ、リングギア２６が羽根２７を連動させ、それにより羽根２７が固定軸３１の回りを回転し、リングギア２６が回転してから扇形板２９とずれており、第二チャンバ３０が外部空間と通気し、ダイヤル１６を絶えずに回し、羽根２７と扇形板２９の間の隙間がだんだん拡大してからだんだん縮まり、ダイヤル１６を自由に回して第二チャンバ３０の中の通気量を調節できる；
【００２０】
マスクを通じて吸い込まれた空気があまり乾いている又は濡れていると感じる時、調節シート４８をはじき、調節シート４８が扇形歯車４６を旋転連動させ、扇形歯車４６が第二ラック５０によってスライドボード５１を上下にスライド連動させ、スライドボード５１が第一ラック４４を上下にスライド連動させ、第一ラック４４が第一歯車４３を旋転連動させ、第一歯車４３が弓形盤３６を旋転連動させ、弓形盤３６が回転して位置決めブロック３８を旋転連動させ、位置決めブロック３８が下へロングロッド４０を押し、第一撥条４２の弾性力を克服してから、弓形盤３６が一定の角度を旋転し、ウェットティッシュ３７を換えて第一貫通溝３３と対応し、ウェットティッシュ３７が吸い込まれた空気の湿度を変え、ダイヤル４８を自由にはじいて吸い込まれた空気の湿度を調節できる。
【００２１】
以上により、本発明の多段調節の使い捨てマスクは操作が簡単明瞭であり、反応が鋭敏である；同時に、本発明は装置が簡潔上品であり、適用な幅が広い、実用性が強い。
【００２２】
以上により、発明の具体実施方式だけであり、ところが、発明の保護範囲はこれには限らない、創造性労働のない考えた変化や入替えは、発明の保護範囲の中に含むべきである。
【図１】
2020147881.tif 000003
【図２】
2020147881.tif 000004
【図３】
2020147881.tif 000005
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
第一固定ブロックを含み、前記第一固定ブロックの前端には第二固定ブロックが設置されており、前記第二固定ブロックにはＬ字型固定ブロックが上下且つ左右に対称的に設置されており、前記Ｌ字型固定ブロックの中には使い捨てマスクを挟持でき、前記第一固定ブロックの中には上下に貫通した第一チャンバが貫通して設置されており、前記第一チャンバには貫通穴が後に連通して設置されており、前記第二固定ブロックの中には左右に貫通した第二チャンバが設置されており、前記第二チャンバと前記第一チャンバとの間には第一貫通溝が連通して設置されており、前記第二チャンバの外側には回転チャンバが連通して設置されており、前記第二チャンバの中には扇形板が前後に一つずつ設置されており、前記扇形板が等間隔で排列され、左右対称的な前記扇形板の間には固定軸が固定的に接続され、前記固定軸の外表面には円筒が回転できるように設置されており、前後に一つずつ設置された前記扇形板が前記円筒に対し前後対称となっており、前記円筒が前記扇形板の間に位置し、前記円筒には前記回転チャンバの中に位置する羽根が固定的に設置されており、前記羽根が等間隔で排列され、前記羽根の外周にはリングギアが固定的に設置されており、前記第一チャンバの中には第一回転軸が回転できるように設置されており、前記第一回転軸には弓形盤と第一歯車が固定的に設置されており、前記弓形盤の中には三組のウェットティッシュが設置されており、三組の前記ウェットティッシュの湿度が互いに異なっており、前記ウェットティッシュの左側には三組の位置決めブロックが固定的に設置されており、前記位置決めブロックが前記ウェットティッシュに対応し、前記第一チャンバの右端には第三チャンバが連通して設置されており、前記第三チャンバの中には第二回転軸が回転できるように設置されており、前記第二回転軸にはロングロッドが固定的に設置されており、前記ロングロッドが第一チャンバの中に伸びており、前記ロングロッドが前記位置決めブロックの底端と接触し、前記ロングロッドと前記第三チャンバの底面の間には第一撥条が固定的に接続されており、前記第一チャンバには前記第一チャンバと連通するスライド溝が前後に対称的に設置されており、前記スライド溝の間にはスライドボードがスライドできるように設置されており、前記スライドボードと前記スライド溝の頂壁との間には第二撥条が固定的に接続されており、前記スライドボードの左側には前記ウェットティッシュが固定的に設置されており、前記ウェットティッシュと前記第一歯車とが噛み合っていることを特徴とする多段調節の使い捨てマスク。
【請求項２】
前記第一固定ブロックの右端には右固定ブロックが固定的に設置されており、前記固定ブロックの中には第二貫通溝が貫通して設置されており、前記第二貫通溝の中には第三回転軸が回転できるように設置されており、前記第三回転軸には調節シートと扇形歯車が固定的に設置されており、前記調節シートが前記右固定ブロックの外側から伸び出ており、前記スライドボードの右側には第二ラックが固定的に設置されており、前記第二ラックが前記扇形歯車と噛み合っていることを特徴とする請求項１に記載の多段調節の使い捨てマスク。
【請求項３】
前記第二固定ブロックの左端には左固定ブロックが固定的に設置されており、前記左固定ブロックの中には左右に貫通する第三貫通溝が設置されており、前記第三貫通溝と前記回転チャンバの間には第四貫通溝が連通して設置されており、前記第三貫通溝の中には第四回転軸が回転できるように設置されており、前記第四回転軸にはダイヤルと第一プーリが固定的に設置されており、前記第四回転軸が前記左固定ブロックの外側から伸び出ており、前記第四貫通溝の中には第五回転軸が回転できるように設置されており、前記第五回転軸には第二プーリと第二歯車が固定的に設置されており、前記第二プーリと第一プーリの間にはベルトが伝動できるように設置されており、前記第二歯車と前記リングギアとが噛み合っていることを特徴とする請求項１に記載の多段調節の使い捨てマスク。
【手続補正２】
【補正対象書類名】明細書
【補正対象項目名】全文
【補正方法】変更
【補正の内容】
【発明の詳細な説明】
【技術分野】
【０００１】
本発明は防護用品の分野を取り上げて、具体的には多段調節の使い捨てマスクである。
【背景技術】
【０００２】
伝統的な使い捨てマスクは使う時に内部フィルターが直接に空気を濾過し、マスクの面積が大きいから空気の中の水分がマスクの内部の綿層に吸収され、乾いた空気を吸い込むのは人体呼吸道の気体循環に不利である。また、伝統的な使い捨てマスクは異なる人群により空気吸込み量を変えられなく、子供と老人にとっては空気吸込み量を減らせば異なった形で空気濾過の効率を高められる。そのため、多段調節の使い捨てマスクを設計して上記の欠点を解決する必要ある。
【先行技術文献】
【特許文献】
【０００３】
【特許文献１】中国特許出願公開第１０８３４８０１８号明細書
【発明の概要】
【発明が解決しようとする課題】
【０００４】
本発明が解決すべきの技術問題は多段調節の使い捨てマスクを提供し、現有技術の上記の欠点を解決する。
【課題を解決するための手段】
【０００５】
図−に示されるように、本発明の多段調節の使い捨てマスクは、第一固定ブロックを含み、前記第一固定ブロックの前端には第二固定ブロックが設置されており、前記第二固定ブロックにはＬ字型固定ブロックが上下且つ左右に対称的に設置されており、前記Ｌ字型固定ブロックの中には使い捨てマスクを挟持でき、前記第一固定ブロックの中には上下に貫通した第一チャンバが貫通して設置されており、前記第一チャンバには貫通穴が後に連通して設置されており、前記第二固定ブロックの中には左右に貫通した第二チャンバが設置されており、前記第二チャンバと前記第一チャンバとの間には第一貫通溝が連通して設置されており、前記第二チャンバの外側には回転チャンバが連通して設置されており、前記第二チャンバの中には扇形板が前後に一つずつ設置されており、前記扇形板が等間隔で排列され、左右対称的な前記扇形板の間には固定軸が固定的に接続され、前記固定軸の外表面には円筒が回転できるように設置されており、前後に一つずつ設置された前記扇形板が前記円筒に対し前後対称となっており、前記円筒が前記扇形板の間に位置し、前記円筒には前記回転チャンバの中に位置する羽根が固定的に設置されており、前記羽根が等間隔で排列され、前記羽根の外周にはリングギアが固定的に設置されており、前記第一チャンバの中には第一回転軸が回転できるように設置されており、前記第一回転軸には弓形盤と第一歯車が固定的に設置されており、前記弓形盤の中には三組のウェットティッシュが設置されており、三組の前記ウェットティッシュの湿度が互いに異なっており、前記ウェットティッシュの左側には三組の位置決めブロックが固定的に設置されており、前記位置決めブロックが前記ウェットティッシュに対応し、前記第一チャンバの右端には第三チャンバが連通して設置されており、前記第三チャンバの中には第二回転軸が回転できるように設置されており、前記第二回転軸にはロングロッドが固定的に設置されており、前記ロングロッドが第一チャンバの中に伸びており、前記ロングロッドが前記位置決めブロックの底端と接触し、前記ロングロッドと前記第三チャンバの底面の間には第一撥条が固定的に接続されており、前記第一チャンバには前記第一チャンバと連通するスライド溝が前後に対称的に設置されており、前記スライド溝の間にはスライドボードがスライドできるように設置されており、前記スライドボードと前記スライド溝の頂壁との間には第二撥条が固定的に接続されており、前記スライドボードの左側には前記ウェットティッシュが固定的に設置されており、前記ウェットティッシュと前記第一歯車とが噛み合う。
【０００６】
更なる技術方案、前記第一固定ブロックの右端には右固定ブロックが固定的に設置されており、前記固定ブロックの中には第二貫通溝が貫通して設置されており、前記第二貫通溝の中には第三回転軸が回転できるように設置されており、前記第三回転軸には調節シートと扇形歯車が固定的に設置されており、前記調節シートが前記右固定ブロックの外側から伸び出ており、前記スライドボードの右側には第二ラックが固定的に設置されており、前記第二ラックが前記扇形歯車と噛み合う。
【０００７】
更なる技術方案、前記第二固定ブロックの左端には左固定ブロックが固定的に設置されており、前記左固定ブロックの中には左右に貫通する第三貫通溝が設置されており、前記第三貫通溝と前記回転チャンバの間には第四貫通溝が連通して設置されており、前記第三貫通溝の中には第四回転軸が回転できるように設置されており、前記第四回転軸にはダイヤルと第一プーリが固定的に設置されており、前記第四回転軸が前記左固定ブロックの外側から伸び出ており、前記第四貫通溝の中には第五回転軸が回転できるように設置されており、前記第五回転軸には第二プーリと第二歯車が固定的に設置されており、前記第二プーリと第一プーリの間にはベルトが伝動できるように設置されており、前記第二歯車と前記リングギアとが噛み合う。
【発明の効果】
【０００８】
本発明の有益な効果は下記の通りである：
【０００９】
本発明の多段調節の使い捨てマスクは操作が簡単明瞭であり、反応が鋭敏である。同時に、本発明は装置が簡潔上品であり、適用な幅が広い、実用性が強い。
【図面の簡単な説明】
【００１０】
【図１】は本発明の多段調節の使い捨てマスクの全体構成模式図
【図２】は図１のＡ−Ａの構成模式図
【図３】は図２のＢ−Ｂの拡大構成模式図
【発明を実施するための形態】
【００１１】
本説明書によって公開されるすべての特徴、或いは公開されるすべての方法或いは過程中の順序は、互いに排斥する特徴或いは順序以外、いかなる方法で組み合わせる。
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３に示されるように、本発明の多段調節の使い捨てマスクは、第一固定ブロック１１を含み、前記第一固定ブロック１１の前端には第二固定ブロック１２が設置されており、前記第二固定ブロック１２にはＬ字型固定ブロック２４が上下且つ左右に対称的に設置されており、前記Ｌ字型固定ブロック２４の中には使い捨てマスク１０を挟持でき、前記第一固定ブロック１１の中には上下に貫通した第一チャンバ３５が貫通して設置されており、前記第一チャンバ３５には貫通穴５４が後に連通して設置されており、前記第二固定ブロック１２の中には左右に貫通した第二チャンバ３０が設置されており、前記第二チャンバ３０と前記第一チャンバ３５との間には第一貫通溝３３が連通して設置されており、前記第二チャンバ３０の外側には回転チャンバ２５が連通して設置されており、前記第二チャンバ３０の中には扇形板２９が前後に一つずつ設置されており、前記扇形板２９が等間隔で排列され、左右対称的な前記扇形板２９の間には固定軸３１が固定的に接続され、前記固定軸３１の外表面には円筒３２が回転できるように設置されており、前後に一つずつ設置された前記扇形板２９が前記円筒３２に対し前後対称となっており、前記円筒３２が前記扇形板２９の間に位置し、前記円筒３２には前記回転チャンバ２５の中に位置する羽根２７が固定的に設置されており、前記羽根２７が等間隔で排列され、前記羽根２７の外周にはリングギア２６が固定的に設置されており、前記第一チャンバ３５の中には第一回転軸４５が回転できるように設置されており、前記第一回転軸４５には弓形盤３６と第一歯車４３が固定的に設置されており、前記弓形盤３６の中には三組のウェットティッシュ３７が設置されており、三組の前記ウェットティッシュ３７の湿度が互いに異なっており、前記ウェットティッシュ３７の左側には三組の位置決めブロック３８が固定的に設置されており、前記位置決めブロック３８が前記ウェットティッシュ３７に対応し、前記第一チャンバ３５の右端には第三チャンバ３９が連通して設置されており、前記第三チャンバ３９の中には第二回転軸４１が回転できるように設置されており、前記第二回転軸４１にはロングロッド４０が固定的に設置されており、前記ロングロッド４０が第一チャンバ３５の中に伸びており、前記ロングロッド４０が前記位置決めブロック３８の底端と接触し、前記ロングロッド４０と前記第三チャンバ３９の底面の間には第一撥条４２が固定的に接続されており、前記第一チャンバ３５には前記第一チャンバ３５と連通するスライド溝５３が前後に対称的に設置されており、前記スライド溝５３の間にはスライドボード５１がスライドできるように設置されており、前記スライドボード５１と前記スライド溝５３の頂壁との間には第二撥条５２が固定的に接続されており、前記スライドボード５１の左側には前記ウェットティッシュ３７が固定的に設置されており、前記ウェットティッシュ３７と前記第一歯車４３とが噛み合う。
【００１４】
有益なように、前記第一固定ブロック１１の右端には右固定ブロック２８が固定的に設置されており、前記固定ブロック２８の中には第二貫通溝４９が貫通して設置されており、前記第二貫通溝４９の中には第三回転軸４７が回転できるように設置されており、前記第三回転軸４７には調節シート４８と扇形歯車４６が固定的に設置されており、前記調節シート４８が前記右固定ブロック２８の外側から伸び出ており、前記スライドボード５１の右側には第二ラック５０が固定的に設置されており、前記第二ラック５０が前記扇形歯車４６と噛み合う。
【００１５】
有益なように、前記第二固定ブロック１２の左端には左固定ブロック１４が固定的に設置されており、前記左固定ブロック１４の中には左右に貫通する第三貫通溝１５が設置されており、前記第三貫通溝１５と前記回転チャンバ２５の間には第四貫通溝２３が連通して設置されており、前記第三貫通溝１５の中には第四回転軸１９が回転できるように設置されており、前記第四回転軸１９にはダイヤル１６と第一プーリ１８が固定的に設置されており、前記第四回転軸１９が前記左固定ブロック１４の外側から伸び出ており、前記第四貫通溝２３の中には第五回転軸２２が回転できるように設置されており、前記第五回転軸２２には第二プーリ２１と第二歯車２０が固定的に設置されており、前記第二プーリ２１と第一プーリ１８の間にはベルト１７が伝動できるように設置されており、前記第二歯車２０と前記リングギア２６とが噛み合う。
【００１６】
以下、付図１−３及び上記の本願発明の多段調節の使い捨てマスクの具体的な構造を参考してその使い方を詳しく説明する：
【００１７】
まず、初期状態の時、扇形板２９と羽根２７とが閉じた円形を形成し、第二チャンバ３０が封閉される。
【００１８】
使い捨てマスク１０を使う前に、使い捨てマスク１０をＬ字型固定ブロック２４にによって固定し、第一固定ブロック１１と使い捨てマスク１０との間が強く接続される。
【００１９】
ダイヤル１６を回すことによって、ダイヤル１６が第一プーリ１８を回転連動させ、第一プーリ１８がベルト１７によって第二プーリ２１を回転連動させ、第二プーリ２１が第二歯車２０を回転連動させ、第二歯車２０がリングギア２６を回転連動させ、リングギア２６が羽根２７を連動させ、それにより羽根２７が固定軸３１の回りを回転し、リングギア２６が回転してから扇形板２９とずれており、第二チャンバ３０が外部空間と通気し、ダイヤル１６を絶えずに回し、羽根２７と扇形板２９の間の隙間がだんだん拡大してからだんだん縮まり、ダイヤル１６を自由に回して第二チャンバ３０の中の通気量を調節できる。
【００２０】
マスクを通じて吸い込まれた空気があまり乾いている又は濡れていると感じる時、調節シート４８をはじき、調節シート４８が扇形歯車４６を旋転連動させ、扇形歯車４６が第二ラック５０によってスライドボード５１を上下にスライド連動させ、スライドボード５１が第一ラック４４を上下にスライド連動させ、第一ラック４４が第一歯車４３を旋転連動させ、第一歯車４３が弓形盤３６を旋転連動させ、弓形盤３６が回転して位置決めブロック３８を旋転連動させ、位置決めブロック３８が下へロングロッド４０を押し、第一撥条４２の弾性力を克服してから、弓形盤３６が一定の角度を旋転し、ウェットティッシュ３７を換えて第一貫通溝３３と対応し、ウェットティッシュ３７が吸い込まれた空気の湿度を変え、ダイヤル４８を自由にはじいて吸い込まれた空気の湿度を調節できる。
【００２１】
以上により、本発明の多段調節の使い捨てマスクは操作が簡単明瞭であり、反応が鋭敏であると同時に、本発明は装置が簡潔上品であり、適用な幅が広い、実用性が強い。
【００２２】
以上により、発明の具体実施方式だけであり、ところが、発明の保護範囲はこれには限らない、創造性労働のない考えた変化や入替えは、発明の保護範囲の中に含むべきである。
【手続補正書】
【提出日】令和1年9月11日(2019.9.11)
【手続補正１】
【補正対象書類名】特許請求の範囲
【補正対象項目名】請求項２
【補正方法】変更
【補正の内容】
【請求項２】
前記第一固定ブロックの右端には右固定ブロックが固定的に設置されており、前記右固定ブロックの中には第二貫通溝が貫通して設置されており、前記第二貫通溝の中には第三回転軸が回転できるように設置されており、前記第三回転軸には調節シートと扇形歯車が固定的に設置されており、前記調節シートが前記右固定ブロックの外側から伸び出ており、前記スライドボードの右側には第二ラックが固定的に設置されており、前記第二ラックが前記扇形歯車と噛み合っていることを特徴とする請求項１に記載の多段調節の使い捨てマスク。
【手続補正２】
【補正対象書類名】明細書
【補正対象項目名】全文
【補正方法】変更
【補正の内容】
【発明の詳細な説明】
【技術分野】
【０００１】
本発明は防護用品の分野を取り上げて、具体的には多段調節の使い捨てマスクである。
【背景技術】
【０００２】
伝統的な使い捨てマスクは使う時に内部フィルターが直接に空気を濾過し、マスクの面積が大きいから空気の中の水分がマスクの内部の綿層に吸収され、乾いた空気を吸い込むのは人体呼吸道の気体循環に不利である。また、伝統的な使い捨てマスクは異なる人群により空気吸込み量を変えられなく、子供と老人にとっては空気吸込み量を減らせば異なった形で空気濾過の効率を高められる。そのため、多段調節の使い捨てマスクを設計して上記の欠点を解決する必要ある。
【先行技術文献】
【特許文献】
【０００３】
【特許文献１】中国特許出願公開第１０８３４８０１８号明細書
【発明の概要】
【発明が解決しようとする課題】
【０００４】
本発明が解決すべきの技術問題は多段調節の使い捨てマスクを提供し、現有技術の上記の欠点を解決する。
【課題を解決するための手段】
【０００５】
図−に示されるように、本発明の多段調節の使い捨てマスクは、第一固定ブロックを含み、前記第一固定ブロックの前端には第二固定ブロックが設置されており、前記第二固定ブロックにはＬ字型固定ブロックが上下且つ左右に対称的に設置されており、前記Ｌ字型固定ブロックの中には使い捨てマスクを挟持でき、前記第一固定ブロックの中には上下に貫通した第一チャンバが貫通して設置されており、前記第一チャンバには貫通穴が後に連通して設置されており、前記第二固定ブロックの中には左右に貫通した第二チャンバが設置されており、前記第二チャンバと前記第一チャンバとの間には第一貫通溝が連通して設置されており、前記第二チャンバの外側には回転チャンバが連通して設置されており、前記第二チャンバの中には扇形板が前後に一つずつ設置されており、前記扇形板が等間隔で排列され、左右対称的な前記扇形板の間には固定軸が固定的に接続され、前記固定軸の外表面には円筒が回転できるように設置されており、前後に一つずつ設置された前記扇形板が前記円筒に対し前後対称となっており、前記円筒が前記扇形板の間に位置し、前記円筒には前記回転チャンバの中に位置する羽根が固定的に設置されており、前記羽根が等間隔で排列され、前記羽根の外周にはリングギアが固定的に設置されており、前記第一チャンバの中には第一回転軸が回転できるように設置されており、前記第一回転軸には弓形盤と第一歯車が固定的に設置されており、前記弓形盤の中には三組のウェットティッシュが設置されており、三組の前記ウェットティッシュの湿度が互いに異なっており、前記ウェットティッシュの左側には三組の位置決めブロックが固定的に設置されており、前記位置決めブロックが前記ウェットティッシュに対応し、前記第一チャンバの右端には第三チャンバが連通して設置されており、前記第三チャンバの中には第二回転軸が回転できるように設置されており、前記第二回転軸にはロングロッドが固定的に設置されており、前記ロングロッドが第一チャンバの中に伸びており、前記ロングロッドが前記位置決めブロックの底端と接触し、前記ロングロッドと前記第三チャンバの底面の間には第一撥条が固定的に接続されており、前記第一チャンバには前記第一チャンバと連通するスライド溝が前後に対称的に設置されており、前記スライド溝の間にはスライドボードがスライドできるように設置されており、前記スライドボードと前記スライド溝の頂壁との間には第二撥条が固定的に接続されており、前記スライドボードの左側には前記ウェットティッシュが固定的に設置されており、前記ウェットティッシュと前記第一歯車とが噛み合う。
【０００６】
更なる技術方案、前記第一固定ブロックの右端には右固定ブロックが固定的に設置されており、前記右固定ブロックの中には第二貫通溝が貫通して設置されており、前記第二貫通溝の中には第三回転軸が回転できるように設置されており、前記第三回転軸には調節シートと扇形歯車が固定的に設置されており、前記調節シートが前記右固定ブロックの外側から伸び出ており、前記スライドボードの右側には第二ラックが固定的に設置されており、前記第二ラックが前記扇形歯車と噛み合う。
【０００７】
更なる技術方案、前記第二固定ブロックの左端には左固定ブロックが固定的に設置されており、前記左固定ブロックの中には左右に貫通する第三貫通溝が設置されており、前記第三貫通溝と前記回転チャンバの間には第四貫通溝が連通して設置されており、前記第三貫通溝の中には第四回転軸が回転できるように設置されており、前記第四回転軸にはダイヤルと第一プーリが固定的に設置されており、前記第四回転軸が前記左固定ブロックの外側から伸び出ており、前記第四貫通溝の中には第五回転軸が回転できるように設置されており、前記第五回転軸には第二プーリと第二歯車が固定的に設置されており、前記第二プーリと第一プーリの間にはベルトが伝動できるように設置されており、前記第二歯車と前記リングギアとが噛み合う。
【発明の効果】
【０００８】
本発明の有益な効果は下記の通りである：
【０００９】
本発明の多段調節の使い捨てマスクは操作が簡単明瞭であり、反応が鋭敏である。同時に、本発明は装置が簡潔上品であり、適用な幅が広い、実用性が強い。
【図面の簡単な説明】
【００１０】
【図１】は本発明の多段調節の使い捨てマスクの全体構成模式図
【図２】は図１のＡ−Ａの構成模式図
【図３】は図２のＢ−Ｂの拡大構成模式図
【発明を実施するための形態】
【００１１】
本説明書によって公開されるすべての特徴、或いは公開されるすべての方法或いは過程中の順序は、互いに排斥する特徴或いは順序以外、いかなる方法で組み合わせる。
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３に示されるように、本発明の多段調節の使い捨てマスクは、第一固定ブロック１１を含み、前記第一固定ブロック１１の前端には第二固定ブロック１２が設置されており、前記第二固定ブロック１２にはＬ字型固定ブロック２４が上下且つ左右に対称的に設置されており、前記Ｌ字型固定ブロック２４の中には使い捨てマスク１０を挟持でき、前記第一固定ブロック１１の中には上下に貫通した第一チャンバ３５が貫通して設置されており、前記第一チャンバ３５には貫通穴５４が後に連通して設置されており、前記第二固定ブロック１２の中には左右に貫通した第二チャンバ３０が設置されており、前記第二チャンバ３０と前記第一チャンバ３５との間には第一貫通溝３３が連通して設置されており、前記第二チャンバ３０の外側には回転チャンバ２５が連通して設置されており、前記第二チャンバ３０の中には扇形板２９が前後に一つずつ設置されており、前記扇形板２９が等間隔で排列され、左右対称的な前記扇形板２９の間には固定軸３１が固定的に接続され、前記固定軸３１の外表面には円筒３２が回転できるように設置されており、前後に一つずつ設置された前記扇形板２９が前記円筒３２に対し前後対称となっており、前記円筒３２が前記扇形板２９の間に位置し、前記円筒３２には前記回転チャンバ２５の中に位置する羽根２７が固定的に設置されており、前記羽根２７が等間隔で排列され、前記羽根２７の外周にはリングギア２６が固定的に設置されており、前記第一チャンバ３５の中には第一回転軸４５が回転できるように設置されており、前記第一回転軸４５には弓形盤３６と第一歯車４３が固定的に設置されており、前記弓形盤３６の中には三組のウェットティッシュ３７が設置されており、三組の前記ウェットティッシュ３７の湿度が互いに異なっており、前記ウェットティッシュ３７の左側には三組の位置決めブロック３８が固定的に設置されており、前記位置決めブロック３８が前記ウェットティッシュ３７に対応し、前記第一チャンバ３５の右端には第三チャンバ３９が連通して設置されており、前記第三チャンバ３９の中には第二回転軸４１が回転できるように設置されており、前記第二回転軸４１にはロングロッド４０が固定的に設置されており、前記ロングロッド４０が第一チャンバ３５の中に伸びており、前記ロングロッド４０が前記位置決めブロック３８の底端と接触し、前記ロングロッド４０と前記第三チャンバ３９の底面の間には第一撥条４２が固定的に接続されており、前記第一チャンバ３５には前記第一チャンバ３５と連通するスライド溝５３が前後に対称的に設置されており、前記スライド溝５３の間にはスライドボード５１がスライドできるように設置されており、前記スライドボード５１と前記スライド溝５３の頂壁との間には第二撥条５２が固定的に接続されており、前記スライドボード５１の左側には前記ウェットティッシュ３７が固定的に設置されており、前記ウェットティッシュ３７と前記第一歯車４３とが噛み合う。
【００１４】
有益なように、前記第一固定ブロック１１の右端には右固定ブロック２８が固定的に設置されており、前記右固定ブロック２８の中には第二貫通溝４９が貫通して設置されており、前記第二貫通溝４９の中には第三回転軸４７が回転できるように設置されており、前記第三回転軸４７には調節シート４８と扇形歯車４６が固定的に設置されており、前記調節シート４８が前記右固定ブロック２８の外側から伸び出ており、前記スライドボード５１の右側には第二ラック５０が固定的に設置されており、前記第二ラック５０が前記扇形歯車４６と噛み合う。
【００１５】
有益なように、前記第二固定ブロック１２の左端には左固定ブロック１４が固定的に設置されており、前記左固定ブロック１４の中には左右に貫通する第三貫通溝１５が設置されており、前記第三貫通溝１５と前記回転チャンバ２５の間には第四貫通溝２３が連通して設置されており、前記第三貫通溝１５の中には第四回転軸１９が回転できるように設置されており、前記第四回転軸１９にはダイヤル１６と第一プーリ１８が固定的に設置されており、前記第四回転軸１９が前記左固定ブロック１４の外側から伸び出ており、前記第四貫通溝２３の中には第五回転軸２２が回転できるように設置されており、前記第五回転軸２２には第二プーリ２１と第二歯車２０が固定的に設置されており、前記第二プーリ２１と第一プーリ１８の間にはベルト１７が伝動できるように設置されており、前記第二歯車２０と前記リングギア２６とが噛み合う。
【００１６】
以下、付図１−３及び上記の本願発明の多段調節の使い捨てマスクの具体的な構造を参考してその使い方を詳しく説明する：
【００１７】
まず、初期状態の時、扇形板２９と羽根２７とが閉じた円形を形成し、第二チャンバ３０が封閉される。
【００１８】
使い捨てマスク１０を使う前に、使い捨てマスク１０をＬ字型固定ブロック２４にによって固定し、第一固定ブロック１１と使い捨てマスク１０との間が強く接続される。
【００１９】
ダイヤル１６を回すことによって、ダイヤル１６が第一プーリ１８を回転連動させ、第一プーリ１８がベルト１７によって第二プーリ２１を回転連動させ、第二プーリ２１が第二歯車２０を回転連動させ、第二歯車２０がリングギア２６を回転連動させ、リングギア２６が羽根２７を連動させ、それにより羽根２７が固定軸３１の回りを回転し、リングギア２６が回転してから扇形板２９とずれており、第二チャンバ３０が外部空間と通気し、ダイヤル１６を絶えずに回し、羽根２７と扇形板２９の間の隙間がだんだん拡大してからだんだん縮まり、ダイヤル１６を自由に回して第二チャンバ３０の中の通気量を調節できる。
【００２０】
マスクを通じて吸い込まれた空気があまり乾いている又は濡れていると感じる時、調節シート４８をはじき、調節シート４８が扇形歯車４６を旋転連動させ、扇形歯車４６が第二ラック５０によってスライドボード５１を上下にスライド連動させ、スライドボード５１が第一ラック４４を上下にスライド連動させ、第一ラック４４が第一歯車４３を旋転連動させ、第一歯車４３が弓形盤３６を旋転連動させ、弓形盤３６が回転して位置決めブロック３８を旋転連動させ、位置決めブロック３８が下へロングロッド４０を押し、第一撥条４２の弾性力を克服してから、弓形盤３６が一定の角度を旋転し、ウェットティッシュ３７を換えて第一貫通溝３３と対応し、ウェットティッシュ３７が吸い込まれた空気の湿度を変え、ダイヤル４８を自由にはじいて吸い込まれた空気の湿度を調節できる。
【００２１】
以上により、本発明の多段調節の使い捨てマスクは操作が簡単明瞭であり、反応が鋭敏であると同時に、本発明は装置が簡潔上品であり、適用な幅が広い、実用性が強い。
【００２２】
以上により、発明の具体実施方式だけであり、ところが、発明の保護範囲はこれには限らない、創造性労働のない考えた変化や入替えは、発明の保護範囲の中に含むべきである。